(57)【特許請求の範囲】
【請求項１】
互いに対向する前胴周り域および後胴周り域と、それら胴周り域の間に位置する股下域とを備え、前記前後胴周り域が、それら胴周り域の両側縁部を上下に延びる接合部で合掌状に重なり合うように固着されて胴周り開口と一対の脚周り開口とが画成され、前記胴周り開口縁部には前記胴周り方向に伸縮する複数条の胴周り用弾性伸縮性部材が伸長状態で取り付けられ、前記脚周り開口縁部には前記脚周り方向へ伸縮する複数条の脚周り用弾性伸縮性部材が伸長状態で取り付けられており、前記接合部が前記胴周り用弾性部材と前記脚周り用弾性部材とを交差して前記上下方向に延びているパンツ型の使い捨て着用物品において、
前記前胴周り域の両側縁が前記前胴周り域の上端縁部から前記股下域に向かって前記おむつを縦断するその縦中心線に次第に近づくように延び、前記後胴周り域の両側縁が前記後胴周り域の上端縁部から前記股下域に向かって前記縦中心線から次第に遠ざかるように延びており、前記接合部各々が前記胴周り域の両側縁部に位置する上端部と、前記前胴周り域における脚開口縁部に位置する下端部とを有し、上方から下方へ向かうにつれて前記縦中心線に次第に近づくように延びていることを特徴とする前記着用物品。
【請求項２】
互いに対向する前胴周り域および後胴周り域と、それら胴周り域の間に位置する股下域とを備え、前記前後胴周り域が、それら胴周り域の両側縁部を上下に延びる接合部で合掌状に重なり合うように固着されて胴周り開口と一対の脚周り開口とが画成され、前記胴周り開口縁部には前記胴周り方向に伸縮する複数条の胴周り用弾性伸縮性部材が伸長状態で取り付けられ、前記脚周り開口縁部には前記脚周り方向へ伸縮する複数条の脚周り用弾性伸縮性部材が伸長状態で取り付けられており、前記接合部が前記胴周り用弾性部材と前記脚周り用弾性部材とを交差して前記上下方向に延びているパンツ型の使い捨て着用物品において、
前記前後胴周り域のいずれか一方の前記胴周り域における前記胴周り用弾性部材と前記脚周り用弾性部材との間において、前記胴周り方向に延びる複数条の補助弾性伸縮性部材が取り付けられており、前記補助弾性伸縮性部材は、前記胴周り域から前記股下域へ向かうにつれ、その弾性伸縮応力が次第に強くなっており、前記補助弾性伸縮性部材の収縮により、前記各接合部が、前記胴周り域の上端部から前記脚開口部に向かうにつれ、前記おむつを縦断するその縦中心線に次第に近づくように延びていることを特徴とする前記着用物品。
【請求項３】
前記接合部と前記縦中心線とのなす角度が、５〜３０°の範囲にある請求項１または２記載の着用物品。
【請求項４】
前記着用物品が、透液性表面シートと、不透液性裏面シートと、それらシートの間に介在する吸液性パネルとから構成されている請求項１〜３のいずれかに記載の着用物品。
【発明の詳細な説明】
【０００１】
【発明の属する技術分野】
本発明は、パンツ型の使い捨て着用物品に関し、より詳しくは、パンツ型の使い捨ておむつやトレーニングパンツ、失禁パンツ等の着用物品に関する。
【０００２】
【従来の技術】
前後胴周り域とそれら胴周り域の間に位置する股下域とを備え、前後胴周り域が、それら胴周り域の両側縁部を上下に延びる接合部で固着され、胴周り開口と一対の脚周り開口とが画成されたパンツ型の使い捨て着用物品は公知である。そのような物品としては、特開平１０−７５９８０号公報や特開平１０−９９３７３号公報、特開平１０−２０４７０４号公報に開示されている。それら物品では、接合部各々がそれら物品を着用した着用者の腰周り側部に位置する。
【０００３】
仰向けの状態にある着用者から汚れたそれら物品を脱衣させるには、着用者を介護している者が、接合部に沿ってそれら物品の両側縁部を引き裂く。このときの介護者がそれら物品を引き裂くときに加える力は、胴周り開口における物品の側縁部から股下域における物品の横方向中央部へ向って作用する。
【０００４】
【発明が解決しようとする課題】
それら公報に開示の物品では、接合部各々が着用者の腰周り側部に位置するので、上記力の向きと接合部の延びる方向とが一致せず、物品を引き裂くときに、上記力が接合部以外の部位に作用して該部位が引き裂かれてしまい、物品を接合部に沿って円滑に引き裂くことができないことがある。
【０００５】
本発明の課題は、伏臥した着用者から物品を脱衣させるときに、物品を接合部に沿って円滑に引き裂くことができるパンツ型の使い捨て着用物品を提供することにある。
【０００６】
【課題を解決するための手段】
前述した課題を解決するための本発明は、互いに対向する前胴周り域および後胴周り域と、それら胴周り域の間に位置する股下域とを備え、前記前後胴周り域が、それら胴周り域の両側縁部を上下に延びる接合部で合掌状に重なり合うように固着されて胴周り開口と一対の脚周り開口とが画成され、前記胴周り開口縁部には前記胴周り方向に伸縮する複数条の胴周り用弾性伸縮性部材が伸長状態で取り付けられ、前記脚周り開口縁部には前記脚周り方向へ伸縮する複数条の脚周り用弾性伸縮性部材が伸長状態で取り付けられており、前記接合部が前記胴周り用弾性部材と前記脚周り用弾性部材とを交差して前記上下方向に延びているパンツ型の使い捨て着用物品を改良することにある。
【０００７】
改良にかかる本発明の特徴は、前記前胴周り域の両側縁が前記前胴周り域の上端縁部から前記股下域に向かって前記おむつを縦断するその縦中心線に次第に近づくように延び、前記後胴周り域の両側縁が前記後胴周り域の上端縁部から前記股下域に向かって前記縦中心線から次第に遠ざかるように延びており、前記接合部各々が前記胴周り域の両側縁部に位置する上端部と、前記前胴周り域における脚開口縁部に位置する下端部とを有し、上方から下方へ向かうにつれて前記縦中心線に次第に近づくように延びていることにある。また、前記前後胴周り域のいずれか一方の前記胴周り域における前記胴周り用弾性部材と前記脚周り用弾性部材との間において、前記胴周り方向に延びる複数条の補助弾性伸縮性部材が取り付けられており、前記補助弾性伸縮性部材は、前記胴周り域から前記股下域へ向かうにつれ、その弾性伸縮応力が次第に強くなっており、前記補助弾性伸縮性部材の収縮により、前記各接合部が、前記胴周り域の上端部から前記脚開口部に向かうにつれ、前記おむつを縦断するその縦中心線に次第に近づくように延びていることにもある。
【０００８】
本発明の実施の態様の一例としては、前記接合部と前記縦中心線とのなす角度が、５〜３０°の範囲にある。
【０００９】
本発明の実施の態様の他の一例としては、前記着用物品が、透液性表面シートと、不透液性裏面シートと、それらシートの間に介在する吸液性パネルとから構成されている。
【００１０】
【発明の実施の形態】
添付の図面を参照し、本発明に係るパンツ型の使い捨て着用物品の詳細を使い捨ておむつを例として説明すると、以下のとおりである。
【００１１】
図１，２は、前胴周り域２０の側から示すパンツ型の使い捨ておむつ１の部分破断斜視図と、パンツ型に成形する以前の状態を示す図１のおむつ１の展開平面図とであり、図３は、図２のＡ−Ａ線切断面図である。
【００１２】
おむつ１は、透液性表面シート２と、不透液性裏面シート３と、表面シート２と裏面シート３との間に介在し、全体が透水性のティッシュペーパー（図示せず）に被覆、接合された吸液性パネル４とを主要な構成部材とする。パネル４は、ティッシュペーパーを介して表面シート２と裏面シート３との少なくとも一方に接合されている。
【００１３】
おむつ１は、図２に示すように、縦方向に前胴周り域２０と、後胴周り域２２と、前後胴周り域２０，２２の間に位置する股下域２１とを備え、縦方向へ延びる両側縁部１ａ，１ｂ，１ｃと、横方向へ延びる両端縁部１ｄ，１ｅとを有する。股下域２１では、両側縁部１ｃが横方向内方へ向かって弧を画いている。両側縁部１ａ，１ｂ，１ｃには、縦方向へ延びる防漏カフ８が取り付けられている。
【００１４】
おむつ１は、前後胴周り域２０，２２の端縁部１ｄ，１ｅ各々の寸法が略同一のもので、前胴周り域２０における両側縁部１ａが、端縁部１ｄから股下域２１へ向い、両側縁部１ａ，１ｂ，１ｃの間の寸法を二分する縦中心線Ｘへ次第に近づくように延び、後胴周り域２２における両側縁部１ｂが、端縁部１ｅから股下域２１へ向い、縦中心線Ｘから次第に遠ざかるように延びている。
【００１５】
図２の状態からおむつ１をパンツ型に成形するには、両端縁部１ｃ，１ｄの間の寸法を二分する横中心線Ｙにおいて、表面シート２が内側になるようにおむつ１を折曲し、前後胴周り域２０，２２の両側縁部１ａ，１ｂを合掌状に重ね合わせ、両側縁部１ａ，１ｂを固着する。パンツ型に成形されたおむつ１には、図１に示すように、図の上方へ向って開口する胴周り開口６と、図の左右へ向って開口する一対の脚周り開口７とが画成され、前後胴周り域２０，２２の両側縁部１ａ，１ｂに沿って接合部５各々が延びている。
【００１６】
接合部５は、胴周り開口６の側に位置する上端部５ａと、脚周り開口７の側に位置する下端部５ｂとを有する。接合部５各々は、上端部５ａから下端部５ｂへ向かって縦中心線Ｘへ次第に近づくように延び、縦中心線Ｘに対して傾斜している。
【００１７】
おむつ１では、図１に２点鎖線Ｚで示すように、接合部５各々を縦中心線Ｘに向って平行移動させたときの、接合部５各々と縦中心線Ｘとのなす角度θが５〜３０°の範囲にあることが好ましい。
【００１８】
おむつ１は、それを着用したときに、接合部５各々の上端部５ａが着用者の腰周り側部に位置し、下端部５ｂが着用者の腹部の側に位置する。接合部５では、多数の熱融着線５ｃが縦方向へ間欠的に並んでいる。
【００１９】
カフ８は、表面シート２に固着された固定縁部８ａと、固定縁部８ａに対向して縦方向へ延びる自由縁部８ｂと、おむつ１の横方向内方へ倒伏された状態で表面シート２に固着された両端縁部８ｃとを有し、固定縁部８ａから横方向外方へ外側部分８ｄが延びている。カフ８の自由縁部８ｂには、縦方向へ延びる弾性伸縮性部材９が自由縁部８ａの一部に被覆された状態で伸長下に固着されている。カフ８は、その自由縁部８ａが表面シート２の上方へ起立性向を有する。
【００２０】
胴周り開口６の縁部には、胴周り方向へ伸縮する複数条の胴周り用弾性伸縮性部材１０が伸長状態で取り付けられている。胴周り用弾性部材１０は、おむつ１の両側縁部１ａに位置する部分が裏面シート３の両側部分３ａとカフ８の外側部分８ｄとの間に介在し、それら部分３ａ，８ｄの少なくとも一方に固着され、残余の部分が表面シート２と裏面シート３との間に介在し、それらシート２，３の少なくとも一方に固着されている。
【００２１】
脚周り開口７の縁部には、脚周り方向へ伸縮する複数条の脚周り用弾性伸縮性部材１１が伸長状態で取り付けられている。脚周り用弾性部材１１は、第１弾性部材１１ａと第２弾性部材１１ｂとから形成されている。第１および第２弾性部材１１ａ，１１ｂは、股下域２１の略中央部を横切る部分１１ａ１，１１ｂ１と、股下域２１におけるおむつ１の両側縁部１ｃに沿う部分１１ａ２，１１ｂ２とを有する。それら弾性部材１１ａ，１１ｂは、部分１１ａ１，１１ｂ１が裏面シート３とパネル４との間に介在して裏面シート３に固着され、部分１１ａ２，１１ｂ２が裏面シート３の両側部分３ａとカフ８の外側部分８ｄとの間に介在して裏面シート３とカフ８とに固着されている。
【００２２】
図１では、弾性部材９，１０，１１各々が収縮し、胴周り開口６の縁部と脚周り開口７の縁部とカフ８の自由縁部８ｂとに多数のギャザーが形成され、カフ８の自由縁部８ｂが図１の上方へ起立している。
【００２３】
おむつ１の両側縁部１ａ，１ｂ，１ｃでは、表面シート２の両側部分２ａがパネル４の両側縁から横方向外方へわずかに延び、裏面シート３の両側部分３ａとカフ８の外側部分８ｄとが両側部分２ａからさらに横方向外方へ延びている。両側部分２ａは、両側部分３ａと外側部分８ｄとの間に介在し、それら部分３ａ，８ｄの少なくとも一方に固着されている。両側部分３ａと外側部分８ｄとは、それら部分３ａ，８ｄが互いに重なり合った状態で固着されている。おむつ１の両端縁部１ｄ，１ｅでは、パネル４の両端縁から縦方向外方へ延びる表面シート２と裏面シート３との互いに重なり合う部分が固着されている。
【００２４】
図４は、仰向けの状態にある着用者からおむつ１を脱衣させるときの説明図である。図では、介護者の左手がおむつ１の端縁部１ｄを把持し、右手がおむつ１の端縁部１ｅを把持している。着用者からおむつ１を脱衣させるには、介護者が後胴周り域２２における端縁部１ｅを右手で把持するとともに、前胴周り域２０における端縁部１ｄを左手で把持し、左手を自分の左脇腹の方向へ引くようにして、一方の側縁部１ａ，１ｂを胴周り開口６から脚周り開口７へ向って引き裂く。次に、介護者が後胴周り域２２における端縁部１ｅを左手で把持するとともに、前胴周り域２０における端縁部１ｄを右手で把持し、右手を自分の右脇腹の方向へ引くようにして、他方の側縁部１ａ，１ｂを胴周り開口６から脚周り開口７へ向って引き裂く。
【００２５】
おむつ１では、それを引き裂くときに加える力の向きと接合部５各々の延びる方向とが略一致し、上記力が接合部５以外の部位に作用することはないので、おむつ１を接合部５各々に沿って円滑に引き裂くことができる。また、おむつ１は、接合部５各々と縦中心線Ｘとのなす角度θを５〜３０°の範囲で変更することによって、接合部５各々の縦中心線Ｘに対する傾斜の度合いを調節することができる。
【００２６】
図５，６は、前胴周り域２０の側から示す、図１とは異なる態様の使い捨ておむつ１の部分破断斜視図と、パンツ型に成形する以前の状態を示す図５のおむつ１の展開平面図とである。図５のおむつ１の基本構成部材は、図１のそれと同一なので、その説明は省略する。
【００２７】
おむつ１では、図６に示すように、前後胴周り域２０，２２における両側縁部１ａ，１ｂが互いに平行して延び、前胴周り域２０を横方向へ延びる複数条の補助弾性伸縮性部材１２が胴周り用弾性部材１０と脚周り用弾性部材１１との間に伸長状態で取り付けられている。補助弾性部材１２は、胴周り用弾性部材１０の側に位置する部材１２ａから脚周り用弾性部材１１の側に位置する部材１２ｄへ向かって伸縮応力が次第に強くなっている。
【００２８】
前後胴周り域２０，２２の両側縁部１ａ，１ｂが固着されてパンツ型に成形されたおむつ１には、図６に示すように、図の上方へ向って開口する胴周り開口６と、図の左右へ向って開口する一対の脚周り開口７とが画成されている。
【００２９】
おむつ１では、補助弾性部材１２ａ〜１２ｄ各々の収縮により、後胴周り域２２の上部が前胴周り域２０の側へわずかに引き寄せられ、後胴周り域２２の下部が上部よりもさらに前胴周り域２０の側へ引き寄せられており、前後胴周り域２０，２２の両側縁部１ａ，１ｂに沿って延びる接合部５各々がその上端部５ａから下端部５ｂへ向かって縦中心線Ｘへ次第に近づくように延びている。複数弾性部材１２ａ〜１２ｄは、その収縮力によって後胴周り域を前胴周り域の側へわずかに引き寄せる程度のものであるから、その収縮力によって着用者の肌にゴム跡を付けたり、違和感を与えたりするおそれはない。
おむつ１は、それを着用したときに、接合部５各々の上端部５ａが着用者の腰周り側部に位置し、下端部５ｂが着用者の腹部の側に位置する。
【００３０】
おむつ１では、接合部５各々の下端部５ｂが着用者の臀部の側に位置するように、上端部５ａから下端部５ｂへ向かって縦中心線Ｘへ次第に近づくように延びていてもよい。この場合では、うつ伏せの状態にある着用者からおむつ１を脱衣させるときに好適である。
【００３１】
表面シート２には、不織布や開孔プラスチックフィルム等の透液性のシート、好ましくは透液性であって親水性のシートを使用することができる。裏面シート３には、疎水性不織布や不透液性のプラスチックフィルム、または、疎水性不織布とプラスチックフィルムとのラミネートシート、好ましくは通気不透液性のシートを使用することができる。また、裏面シート３としては、高い耐水性を有するメルトブローン不織布を、高い強度を有しかつ柔軟性に富んだスパンボンド不織布で挟んだ複合不織布（ＳＭＳ不織布）を使用することもできる。
【００３２】
不織布としては、スパンレース、ニードルパンチ、メルトブローン、サーマルボンド、スパンポンド、ケミカルボンド、エアースルー等により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維や偏心芯鞘型複合繊維、分割型複合繊維等を使用することができる。
【００３３】
弾性部材９，１０，１１，１２各々は、天然ゴムや合成ゴムからなるエラストマーであり、その形態として糸状やフィラメント状、フィルム状、帯状のもののいずれかを使用することができる。
【００３４】
パネル４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００３５】
表裏面シート２，３の固着や表裏面シート２，３とカフ８との固着、パネル４の接合、弾性部材９，１０，１１の固着には、ホットメルト接着剤等の接着剤や粘着剤、または、ヒートシールやソニックシール等の熱溶着の手段を利用することができる。接着剤としては、ホットメルト接着剤を使用することが好ましい。
【００３６】
この発明は、使い捨ておむつの他に、トレーニングパンツ、失禁パンツ等でも実施することができる。
【００３７】
【発明の効果】
本発明に係るパンツ型の使い捨て着用物品によれば、接合部各々が上端部から下端部へ向って縦中心線へ次第に近づくように延び、下端部が着用者の腹部と臀部とのいずれか一方に位置する。この物品では、仰向けまたはうつ伏せのいずれかの状態にある着用者から介護者がそれを脱衣させる場合において、介護者が物品を引き裂くときに加える力の向きと接合部各々の延びる方向とが略一致し、上記力が接合部以外の部位に作用することはないので、おむつを接合部各々に沿って円滑に引き裂くことができる。
【図面の簡単な説明】
【図１】  前胴周り域の側から示すパンツ型の使い捨ておむつの部分破断斜視図。
【図２】  パンツ型に成形する以前の状態を示す図１のおむつの展開平面図。
【図３】  図２のＡ−Ａ線切断面図。
【図４】  おむつを脱衣させるときの説明図。
【図５】  図１とは異なる態様の使い捨ておむつの部分破断斜視図。
【図６】  パンツ型に成形する以前の状態を示す図５のおむつの展開平面図。
【符号の説明】
１              パンツ型の使い捨ておむつ（パンツ型の使い捨て着用物品）
１ａ，１ｂ      両側縁部
２              透液性表面シート
３              不透液性裏面シート
４              吸液性パネル
５              接合部
５ａ            上端部
５ｂ            下端部
６              胴周り開口
７              脚周り開口
１２              補助弾性伸縮性部材
２０              前胴周り域
２１              股下域
２２              後胴周り域
Ｘ              縦中心線
θ              角度
【図１】
0004004212.tif 000002
【図２】
0004004212.tif 000003
【図３】
0004004212.tif 000004
【図４】
0004004212.tif 000005
【図５】
0004004212.tif 000006
【図６】
0004004212.tif 000007